(57)【特許請求の範囲】
【請求項１】
ドレイン受皿と該ドレイン受皿から下方に連成された排水管部とを備えてなり、デッキプレート上に配設されるドレイン本体を固定するものであって、
中央にドレイン本体の排水管部を挿通し得る挿通孔を具備し、かつ該挿通孔の孔縁に、ドレイン受皿の裏面に螺子固定される複数の取付片が固着され、かつドレイン受皿の周縁から延出してデッキプレートの上面に固着される支持部材を備えてなり、
前記各取付片は、断面クランク形に屈成されており、挿通孔の孔縁に固着される上部側水平端縁と、ドレイン受皿の裏面に形成された螺子孔に螺合する螺子を下方から挿通し得る切欠溝又は透孔が形成された下部側水平端縁とを備え、かつ下部側水平端縁の高さ位置は、排水管部を挿通孔に挿通させた状態でドレイン本体を所定の高さ位置に保持し得るように、上部側水平端縁に対して所定の段差が生じる低い位置に設定されるものであることを特徴とするドレイン本体の固定装置。
【請求項２】
水平縁部と、垂直縁部とにより断面略Ｌ形に形成されたドレイン受皿と、該ドレイン受皿の垂直縁部から後方に連成された排水管部とを備えてなり、水平方向のデッキプレートと、垂直方向の壁面とが交差するコーナー部分に配設されるドレイン本体を固定するものであって、
ドレイン受皿の水平縁部に固定されて、該水平縁部から外側縁が外方に延出する大きさの支持部材と、ドレイン受皿の垂直縁部に固定されて、該垂直縁部から外側縁が外方に延出する大きさの支持部材とを備え、各支持部材の内側縁にはドレイン受皿の裏面に形成された螺子孔に対応する位置に、該螺子孔に裏方から螺合する螺子を挿通し得る透孔が夫々穿設され、さらに、各外側縁と各内側縁との間には、ドレイン本体を所定位置に保持するための段差が設けられなり、両支持部材は該ドレイン受皿の周縁から延出してデッキプレートの上面と壁面とに夫々固着されるものであることを特徴とするドレイン本体の固定装置。
【発明の詳細な説明】
【０００１】
【発明の属する技術分野】
本発明は、デッキプレート下地断熱屋根工法に適用されるドレイン本体の固定装置に関する。
【０００２】
【従来の技術】
デッキプレート上に断熱板を敷設し、さらに該断熱板上にシート防水を施すことにより屋根を構成するデッキプレート下地断熱屋根工法が知られている。
【０００３】
この工法で形成される屋根は、パラペットで囲繞された略平らな陸屋根となるため、該屋根には雨水排水用のルーフドレインが設置される。
【０００４】
ところが現在までのところ、かかる工法専用のルーフドレインは殆ど製造されていないため、該工法による屋根の施工には、コンクリート打込型のルーフドレインが便宜的に使用されている。
【０００５】
かかるコンクリート打込型のルーフドレインａは、図９に示すように、ドレイン受皿ｃと排水管部ｄとからなるドレイン本体ｂの、そのドレイン受皿ｃの裏面に、略Ｌ形に屈成された複数のアンカーｅを備えている。このルーフドレインａを施工するには、まず、ドレイン本体ｂの排水管部ｄを挿通し得る遊嵌孔ｇをデッキプレートｆに穿設した後、該遊嵌孔ｇの孔縁下面に断面略Ｌ形を呈する環状の受け金具ｈの上縁を溶接する。次に、ドレイン本体ｂを遊嵌孔ｇに上方から通挿してアンカーｅを前記受け金具ｈに乗載することにより、ドレイン本体ｂを所定高さ位置に保持する。そして、この状態でドレイン本体ｂを除く周囲のデッキプレートｆ上に断熱板ｊを敷設し、さらに該断熱板ｊ上にシート防水層ｋを敷設して、該シート防水層ｋの縁部をドレイン受皿ｃの上面と防水層押え盤ｍとで挟持することにより、その施工を行っている。
【０００６】
【発明が解決しようとする課題】
ところで、上述の施工にあっては、ドレイン受皿ｃの裏面のアンカーｅが受け金具ｈに乗載されているだけであり、ドレイン本体ｂを固定することができないという問題点があった。このため、該ドレイン本体ｂの取付施工後に、排水管部ｄの内周に形成されている雌螺子部ｎに対して、樋管ｐの上端部を螺着して取付るに際して、ドレイン本体ｂが揺動してしまい、その螺着操作を困難なものとしていた。また、樋管ｐの取付け後においても、該樋管ｐの上端が安定しないといった問題点もあった。
【０００７】
本発明は、かかる従来の問題点を解消し得るようにしたドレイン本体の固定装置を提供することを目的とするものである。
【０００８】
【課題を解決するための手段】
本発明は、ドレイン受皿と該ドレイン受皿から下方に連成された排水管部とを備えてなり、デッキプレート上に配設されるドレイン本体を固定するものであって、前記ドレイン受皿の裏面に、該ドレイン受皿の周縁から延出してデッキプレートの上面に固着される支持部材を直接固定したことを特徴とするドレイン本体の固定装置である。
【０００９】
ここで、上記ドレイン本体は縦引き排水用として形成されており、固定装置は、この縦引き排水用のドレイン本体に適用し得る構成となっている。
【００１０】
かかる構成にあって、ドレイン受皿の裏面に支持部材を直接固定した状態で、デッキプレートに予め形成された遊嵌孔にドレイン本体を上方から通挿することにより、ドレイン受皿の周縁から延出する支持部材が、デッキプレートの上面に当接し、ドレイン本体が所定高さ位置に保持される。そして、この状態で、支持部材をデッキプレートの上面に螺子止め或いは溶接等の固着手段によって固着することにより、ドレイン本体を簡単に固定することができる。
【００１１】
上記支持部材のドレイン受皿への固定手段としては、該支持部材を、ドレイン受皿の裏面に形成された螺子孔に螺子で固定する構成が提案され得る。このように、支持部材をドレイン受皿の裏面に螺子固定するようにすれば、製品出荷時においては、支持部材をドレイン受皿から取り外した状態で梱包し得るので、嵩張ることがなく、また、施工時においては、簡単に取り付けることができる。ここで、打込型ルーフドレインにあっては、アンカーｅ（図９参照）を螺着するための複数の螺子孔が、ドレイン受皿の裏面に予め形成されているので、該螺子孔を利用して支持部材をドレイン受皿の裏面に螺子固定すれば、ドレイン受皿に螺子孔加工を別途施す必要がない。
【００１２】
また、本発明は、水平縁部と、垂直縁部とにより断面略Ｌ形に形成されたドレイン受皿と、該ドレイン受皿の垂直縁部から後方に連成された排水管部とを備えてなり、水平方向のデッキプレートと、垂直方向の壁面とが交差するコーナー部分に配設されるドレイン本体を固定するものであって、前記ドレイン受皿の裏面に、該ドレイン受皿の周縁から延出してデッキプレートの上面と壁面とに夫々固着される支持部材を直接固定したことを特徴とするドレイン本体の固定装置である。
【００１３】
ここで、上記ドレイン本体は横引き排水用として形成されており、固定装置は、この横引き排水用のドレイン本体に適用し得る構成となっている。
【００１４】
かかる構成にあって、ドレイン受皿の裏面に支持部材を直接固定した状態で、コーナー部分の壁面に予め形成された遊嵌孔にドレイン本体の排水管部を前方から通挿することにより、ドレイン受皿の周縁から延出する支持部材が、デッキプレートの上面と、壁面とに当接し、ドレイン本体が所定位置に保持される。そして、この状態で、支持部材をデッキプレートの上面と壁面とに螺子止め或いは溶接等の固着手段によって夫々固着することにより、ドレイン本体を簡単に固定することができる。
【００１５】
また、上記支持部材のドレイン受皿への固定手段としては、該支持部材を、ドレイン受皿の裏面に形成された螺子孔に螺子で固定する構成が提案され得る。これにより、上述したような種々の作用効果が得られる。
【００１６】
【発明の実施の形態】
以下に、請求項１にかかる発明の一実施例を、図１〜図３について説明する。この実施例におけるドレイン本体１Ａは、縦引き排水用として形成されている。即ち、ドレイン本体１Ａは、円形のドレイン受皿２と、該ドレイン受皿２の中央に開口された排水孔３を囲繞するようにして下方に連成された排水管部４とを備えており、後述する固定装置１５Ａによってデッキプレート５上に固定されている。
【００１７】
ドレイン受皿２の上面には、デッキプレート５上に断熱板６を介して敷設されるシート防水層７の縁部を挟持する防水層押え盤８が、ドレイン受皿２に立設された螺子杆９ａと、該螺子杆９ａに螺装されるナット９ｂとによって固定されており、該防水層押え盤８上に多数の狭幅状通水間隙１０を備えたストレーナ１１が配設されている。該ストレーナ１１は、その下部鍔縁を螺子１２によって防水層押え盤８に固定することにより、該防水層押え盤８を介してドレイン本体１Ａに被着されている。また、ドレイン本体１Ａの排水管部４の内周面には雌螺子部１３が形成されており、該雌螺子部１３に上端部を螺着することによって樋管１４を接続し得るようになっている。
【００１８】
上記ドレイン本体１Ａをデッキプレート５上に固定する固定装置１５Ａは、図３に示すように、中央にドレイン本体１Ａの排水管部４を挿通し得る挿通孔１６を備え、かつ該挿通孔１６の孔縁に複数の取付片１７を備えた矩形状の支持部材１８からなる。該支持部材１８は、ドレイン本体１Ａの排水管部４を挿通孔１６に挿通させた状態で、その外側縁が、ドレイン受皿２の周縁から外方に延出する大きさとなっている。
【００１９】
前記各取付片１７は、断面クランク形に屈成されており、その上部側水平端縁１９ａが挿通孔１６の孔縁に略等間隔で固着されている。また、下部側水平端縁１９ｂには、螺子を挿通し得るＵ字形の切欠溝２０が形成されている。尚、この切欠溝２０に代えて透孔を形成することも可能である。前記各下部側水平端縁１９ｂの高さ位置は、排水管部４を挿通孔１６に挿通させた状態でドレイン本体１Ａを所定の高さ位置に保持し得るように、上部側水平端縁１９ａに対して所定の段差が生じる低い位置に設定される。また、各下部側水平端縁１９ｂの切欠溝２０は、ドレイン受皿２の裏面に形成された螺子孔２１（図１参照）に対応する位置に設けられる。ここで、打込型ルーフドレインにあっては、アンカーｅ（図９参照）を螺着するための複数の螺子孔２１が、ドレイン受皿２の裏面に予め形成されているので、該螺子孔２１を利用すれば、ドレイン受皿２に螺子孔加工を別途施す必要がない。
【００２０】
上述した固定装置１５Ａを用いてドレイン本体１Ａを固定するには、図１に示すように、各取付片１７の切欠溝２０に挿通した螺子２２を、ドレイン受皿２の裏面の螺子孔２１に螺着することによって、支持部材１８をドレイン受皿２の裏面に直接固定した状態で、デッキプレート５に予め形成された遊嵌孔２３にドレイン本体１Ａを上方から通挿すると、ドレイン受皿２の周縁から延出している支持部材１８の外側縁が、デッキプレート５の上面に当接することとなる。これにより、ドレイン本体１Ａが所定高さ位置に保持される。そして、この状態で、支持部材１８の外側縁をデッキプレート５の上面に螺子止め或いは溶接等の固着手段を用いて固着することにより、ドレイン本体１Ａをデッキプレート５に固定することができる。
【００２１】
この状態でドレイン本体１Ａを除く周囲のデッキプレート５上に断熱板６を敷設し、さらに該断熱板６上にシート防水層７を敷設して、該シート防水層７の縁部をドレイン受皿２の上面と防水層押え盤８とで挟持することにより、ドレイン本体１Ａの取付施工が完了する。然る後、ドレイン本体１Ａの排水管部４の内周面に形成された雌螺子部１３に、樋管１４の上端部を螺着することによって、該樋管１４がドレイン本体１Ａに接続される。この時、上述したように、ドレイン本体１Ａが固定されていることにより、その螺着操作を容易に行うことができる。また、樋管１４の取付け後においても、該樋管１４の上端が安定した状態を維持させることができる。
【００２２】
尚、上記実施例では、支持部材１８の挿通孔１６の孔縁に、複数の取付片１７を固着するようにしているが、これに代えて、図４に示すように、支持部材１８の中央部分を、プレス加工等を介して所定形状に窪ませることによって、取付片部１７’を一体形成し、該取付片部１７’に挿通孔１６と、切欠溝２０に対応する透孔２０’とを設けるようにしてもよい。また、上記実施例における複数の取付片１７の上部側水平端縁１９ａを、ドレイン受皿２の周縁から外方に延出する長さに形成し、各取付片１７を放射状に配設することによって支持部材１８としてもよい。
【００２３】
図５〜図７は、請求項２にかかる発明の一実施例を示し、この実施例におけるドレイン本体１Ｂは、横引き排水用として形成されている。即ち、ドレイン本体１Ｂは、水平縁部２ａと、垂直縁部２ｂとにより断面略Ｌ形に形成されたドレイン受皿２と、該ドレイン受皿２の垂直縁部２ｂから後方に連成された排水管部４とを備えてなり、水平方向のデッキプレート５と垂直方向の壁面２４とが交差するコーナー部分に、後述する固定装置１５Ｂによって固定されている。
【００２４】
ドレイン受皿２上には、断熱板６を介して、デッキプレート５と壁面２４に亘って敷設されるシート防水層７の縁部を挟持する断面略Ｌ形の防水層押え盤８が乗載されており、該防水層押え盤８は、ドレイン受皿２に斜めに立設された螺子杆９ａと、該螺子杆９ａに螺装されるナット９ｂとによってドレイン受皿２に固定されている。また、該防水層押え盤８上には、多数の狭幅状通水間隙１０を備え、かつ前部が斜めに傾斜したストレーナ１１が配設されており、該ストレーナ１１は、その上部鍔縁を螺子１２によって防水層押え盤８に固定することにより、該防水層押え盤８を介してドレイン本体１Ｂに被着されている。また、ドレイン本体１Ｂの排水管部４の内周面には雌螺子部１３が形成されており、該雌螺子部１３に先端部を螺着することによって樋管１４を接続し得るようになっている。
【００２５】
上記横引き排水用のドレイン本体１Ｂを固定するための固定装置１５Ｂは、図７に示すように、ドレイン受皿２の水平縁部２ａと垂直縁部２ｂとに夫々固定し得るように二部材に分割形成された略矩形状の支持部材１８ａ，１８ｂからなり、該支持部材１８ａ，１８ｂには、ドレイン受皿２の裏面に形成された螺子孔２１（図５参照）に対応する位置に、螺子２２を挿通し得る透孔２０’が夫々穿設されている。該支持部材１８ａ，１８ｂは、螺子２２によってドレイン受皿２に固定した状態で、その各外側縁２５，２５がドレイン受皿２の水平縁部２ａと垂直縁部２ｂとから外方に夫々延出する大きさとなっており、さらに、各外側縁２５，２５と、前記透孔２０’が穿設された内側縁２６，２６との間には、ドレイン本体１Ｂを所定位置に保持するために、適宜の段差が設けられている。
【００２６】
かかる固定装置１５Ｂを用いてドレイン本体１Ｂを固定するには、図５に示すように、各支持部材１８ａ，１８ｂの透孔２０’に挿通した螺子２２を、ドレイン受皿２の裏面の螺子孔２１に螺着することによって、支持部材１８ａ，１８ｂの内側縁２６，２６をドレイン受皿２の裏面に直接固定した状態で、デッキプレート５と壁面２４とが交差することとなるコーナー部分にドレイン本体１Ｂを載置すると、ドレイン受皿２の周縁から延出している支持部材１８ａ，１８ｂの外側縁２５，２５が、デッキプレート５の上面と、壁下地材２７に当接することとなる。これにより、ドレイン本体１Ｂが所定位置に保持される。そして、この状態で、支持部材１８ａ，１８ｂの外側縁２５，２５をデッキプレート５の上面と壁下地材２７とに螺子止め或いは溶接等の固着手段を用いて固着することにより、ドレイン本体１Ｂを固定することができる。
【００２７】
この状態でドレイン本体１Ｂを除く周囲のデッキプレート５上と壁下地材２７の前面とに断熱板６を敷設し、さらに該断熱板６上にシート防水層７を敷設して、該シート防水層７の縁部をドレイン受皿２の上面と防水層押え盤８とで挟持することにより、ドレイン本体１Ｂの取付施工が完了する。然る後、ドレイン本体１Ｂの排水管部４の内周面に形成された雌螺子部１３に、樋管１４の先端部を螺着することによって、該樋管１４がドレイン本体１Ｂに接続される。この時、上述したように、ドレイン本体１Ｂが固定されていることにより、その螺着操作を容易に行うことができる。また、樋管１４の取付け後においても、該樋管１４の先端が安定した状態を維持させることができる。
【００２８】
尚、上記実施例では、固定装置１５Ｂを、支持部材１８ａ，１８ｂの二部材に分割形成しているが、これに代えて、図８に示すように、水平縁部１８ａ’と垂直縁部１８ｂ’とにより断面Ｌ形を呈するようにプレス加工等を介して支持部材１８を一体形成するとともに、該支持部材１８の中央部分を所定形状に窪ませてなる凹陥部分に、排水管部４の挿通孔１６と、透孔２０’とを夫々設けるようにしてもよい。
【００２９】
【発明の効果】
上述したように、本発明によれば、デッキプレート下地断熱屋根工法にあって、ドレイン本体１Ａ，１Ｂを簡単に固定することができる。これにより、該ドレイン本体１Ａ，１Ｂの取付施工後における樋管１４の螺着操作を容易に行うことができ、また、該樋管１４の取付け後においても安定した状態を維持させることができる。
【００３０】
また、支持部材１８或いは支持部材１８ａ，１８ｂを、ドレイン受皿２の裏面に形成された螺子孔２１に螺子２２で固定するようにすれば、製品出荷時に、支持部材１８或いは支持部材１８ａ，１８ｂをドレイン受皿２から取り外した状態で梱包し得るので、嵩張ることがなく、また、施工時には簡単に取り付けることができる。さらに、打込型ルーフドレインに形成されているアンカー螺着用の螺子孔を利用することにより、ドレイン受皿２に螺子孔加工を別途施す必要がない等の優れた効果がある。
【図面の簡単な説明】
【図１】請求項１の発明にかかる固定装置の実施例を示す施工状態の縦断面図である。
【図２】同上の固定装置を備えたドレイン本体の平面図である。
【図３】同上の固定装置とドレイン本体の斜視図である。
【図４】同上の固定装置の他の実施例を示す斜視図である。
【図５】請求項２の発明にかかる固定装置の実施例を示す施工状態の縦断面図である。
【図６】同上の固定装置を備えたドレイン本体の平面図である。
【図７】同上の固定装置とドレイン本体の斜視図である。
【図８】同上の固定装置の他の実施例を示す斜視図である。
【図９】従来構成の施工状態を示す縦断面図である。
【符号の説明】
１Ａ，１Ｂ  ドレイン本体
２  ドレイン受皿
２ａ  水平縁部
２ｂ  垂直縁部
４  排水管部
５  デッキプレート
１５Ａ，１５Ｂ  固定装置
１８，１８ａ，１８ｂ  支持部材
２１  螺子孔
２２  螺子
２４  壁面
【図１】
0003762242.tif 000002
【図２】
0003762242.tif 000003
【図３】
0003762242.tif 000004
【図４】
0003762242.tif 000005
【図５】
0003762242.tif 000006
【図６】
0003762242.tif 000007
【図７】
0003762242.tif 000008
【図８】
0003762242.tif 000009
【図９】
0003762242.tif 000010